【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
前面電極層、ディスプレイ材料層および保護フィルム層を含むディスプレイラミネートの処理方法において、該方法は、
前記ディスプレイラミネートの連続ウェブを提供する工程と、
前記ディスプレイラミネートウェブの縁部から前記保護フィルム層の一部分を連続的に除去する工程と、
前記保護フィルム層の前記部分の除去後、
該保護フィルム層の前記除去した部分と同じウェブ縁部にある前記ディスプレイ材料層の一部分を連続的に除去する工程を含むことを特徴とするディスプレイラミネートの処理方法。
【請求項２】
請求項１に記載の方法において、前記保護フィルム層およびディスプレイ材料層の前記除去された部分は、幅が等しいことを特徴とする処理方法。
【請求項３】
請求項１または２に記載の方法において、前記ディスプレイ材料層の前記部分は、少なくとも前記保護フィルム層の前記除去された部分と同じウェブ縁部にある前記ディスプレイ材料層の部分に媒体を吹き付けることによって除去されることを特徴とする処理方法。
【請求項４】
請求項１に記載の方法において、該方法は、前記保護フィルム層の前記部分を除去後、前記ディスプレイ材料層の前記一部分を除去する前に、前記連続ディスプレイラミネートが濡らしユニット内を走行中、前記ディスプレイ材料層の前記一部分を該濡らしユニットによって連続的に濡らすことを特徴とする処理方法。
【請求項５】
請求項１ないし４のいずれかに記載の方法において、該方法は、
ディスプレイ材料がディスプレイ素子ロールとして収納され、
保護フィルム層の一部分を除去する前に、前記ディスプレイ素子ロールをほどいて、
前記ディスプレイ材料層の前記部分を除去後、ディスプレイ素子ロールに巻き取ることを特徴とする処理方法。
【請求項６】
請求項１ないし５のいずれかに記載の方法において、前記吹き付けられる媒体は気体または液体であることを特徴とする処理方法。
【請求項７】
請求項１ないし６のいずれかに記載の方法において、前記保護フィルム層の一部分の除去は、該保護フィルム層を前記ディスプレイ材料層から分離して前記保護フィルム層と前記ディスプレイ材料層の間に隙間を形成し、その後、該保護フィルム層を切断することにより行われることを特徴とする処理方法。
【請求項８】
請求項１ないし７のいずれかに記載の方法において、前記媒体はスプレーを用いて吹き付けられ、該スプレーは、前記保護フィルム層に部分的に重なるように配列されて、媒体が前記保護フィルム層の下の領域にはいるのを防ぐことを特徴とする処理方法。
【請求項９】
請求項１ないし８のいずれかに記載の方法において、前記ディスプレイラミネートは、前記ディスプレイ材料を巻き取る前に、例えば圧搾空気を用いて乾燥ユニット内で乾燥させることを特徴とする処理方法。
【請求項１０】
請求項１ないし９のいずれかに記載の方法において、前記ディスプレイ材料を巻き取る前にマスキングテープを前記ディスプレイラミネートの前記保護フィルム層に取り付けることを特徴とする処理方法。
【請求項１１】
前面電極層、ディスプレイ材料層および保護フィルム層を含むディスプレイラミネートの処理装置において、該装置は、
前記ディスプレイラミネートの連続ウェブを提供する手段と、
前記ディスプレイラミネートウェブの縁部から前記保護フィルム層の一部分を連続的に除去する保護フィルム層リムーバと、
該保護フィルム層リムーバの後に配置され、前記保護フィルム層の前記除去された部分と同じウェブ縁部にある前記ディスプレイ材料層の一部分を連続的に除去するディスプレイ材料層リムーバとを含むことを特徴とするディスプレイラミネートの処理装置。
【請求項１２】
請求項11に記載の装置において、
前記保護フィルム層リムーバは切断ユニットであり、該切断ユニットは、前記ディスプレイラミネートが該切断ユニット内を走行中、連続的な前記ディスプレイラミネートウェブの前記縁部から前記保護フィルム層の一部分を除去するように構成され、
前記ディスプレイ材料層リムーバはスプレーユニットであり、該スプレーユニットは、保護フィルム層の前記一部分の除去後、前記連続ディスプレイラミネートがスプレーユニット内を走行中、前記保護フィルム層の前記除去された部分と同じ縁部にある前記ディスプレイ材料層の一部分を媒体の吹付けによって除去するように構成されていることを特徴とする処理装置。
【請求項１３】
請求項11または12に記載の装置において、該装置はさらに濡らしユニットを含み、
該濡らしユニットは、前記連続ディスプレイラミネートが該濡らしユニット内を走行中、前記保護フィルム層の前記一部分の除去後、前記ディスプレイ材料層の一部分が除去される前に、前記ディスプレイ材料層の前記一部分を濡らすように構成されていることを特徴とする処理装置。
【請求項１４】
請求項11ないし13のいずれかに記載の装置において、該装置は、
前記ディスプレイ素子ロールウェブを収納するディスプレイ材料ロールと、
保護フィルム層の一部分を除去する前に前記ディスプレイ素子ロールをほどく巻出機と、
前記ディスプレイ材料層の前記一部分を除去後、前記ディスプレイ素子ロールを巻き取る巻取り機とを含むことを特徴とする処理装置。
【請求項１５】
請求項11ないし14のいずれかに記載の装置において、該装置は、吹き付けられる媒体として気体または液体を使用するように構成されていることを特徴とする処理装置。
【請求項１６】
請求項11ないし15のいずれかに記載の装置において、該装置は、前記保護フィルム層をめくって該保護フィルム層と前記ディスプレイ材料層の間に隙間を形成することによって前記保護フィルム層の一部分を除去し、該保護フィルム層がめくられた後に該保護フィルム層を刃によって切断するように構成されていることを特徴とする処理装置。
【請求項１７】
請求項11ないし16のいずれかに記載の装置において、該装置はスプレーを含み、該スプレーは、前記保護フィルム層と部分的に重なるように配列されて、前記保護フィルム層の下の領域に媒体がはいるのを防ぐことを特徴とする処理装置。
【請求項１８】
請求項11ないし17のいずれかに記載の装置において、該装置は乾燥ユニットを含み、該乾燥ユニットは、前記ディスプレイ材料を巻き取る前に前記ディスプレイラミネートを乾燥させるように構成されていることを特徴とする処理装置。
【請求項１９】
請求項11ないし18のいずれかに記載の装置において、該装置は、前記連続ディスプレイ材料が巻き取る前にマスキングテープを前記連続ディスプレイラミネートの前記保護フィルム層に取り付けるように構成されていることを特徴とする処理装置。
【請求項２０】
前面電極層、ディスプレイ材料層および保護フィルム層を含む処理済ディスプレイラミネートであって、該ディスプレイラミネートは、
請求項１ないし10のいずれかに記載の方法を用いて処理されたことを特徴とするディスプレイラミネート。
【請求項２１】
前面電極層、ディスプレイ材料層および保護フィルム層を含むディスプレイラミネートであって、
該ディスプレイラミネートは連続ウェブであり、
前記保護フィルム層および前記ディスプレイ材料層は前記前面電極層より幅が狭いことを特徴とするディスプレイラミネート。
【請求項２２】
請求項21に記載のディスプレイラミネートにおいて、前記保護フィルム層および前記ディスプレイ材料層は、第１の側に前記前面電極層と共通な縁部を、また反対側には前記前面電極層と共通でなく互いに共通な縁部を有することを特徴とするディスプレイラミネート。